(57)【要約】【課題】近年広く普及しているタッチパネル付携帯端末の全面を保護可能で、かつ使いやすく、携帯端末の外観品位を損なわない保護カバーを提供すること。【解決手段】タッチパネルを操作可能な厚さの透明シートを、画面とその他の部分に分割し、シートを加熱せず平面性を維持したままの外形加工による部材と、シートを余熱し加熱した型による成型加工による部材に分割し、それらを組み合わせながら貼ることで、携帯端末全面を覆う保護カバーを実現した。【選択図】図４
2016123066.tif 000002
【特許請求の範囲】
【請求項１】
表示及び入力操作のための画面を有する携帯端末の外側全面を覆い、該携帯端末を保護するためのカバーであって、該携帯端末の該画面部分を独立した平面形状のカバーで覆い、他の面を別体のカバーで覆う事を特徴とする携帯端末の保護カバー。
【請求項２】
前記平面形状のカバー及び面記別体のカバーは、材質及び厚さが同一で、かつ透明である事を特徴とする請求項１項記載の携帯端末の保護カバー。
【請求項３】
前記平面形状のカバーは、裏面にシリコン等の吸着材あるいは粘着材が塗布され保護シートが貼付された平面形状の材料を切断して外形をなした事を特徴とする請求項１項記載の携帯端末の保護カバー。
【請求項４】
前記別体のカバーは、裏面にシリコン等の吸着材あるいは粘着材が塗布され保護シートが貼付された前記平面形状の材料を加熱した型により成型した後、外形を切断して曲面を覆う形状をなすことを特徴とする請求項１項記載の携帯端末の保護カバー。
【請求項５】
前記別体のカバーは、複数の部材を隣接配置して前記携帯端末の外側を連続的に覆い、かつ、部材同士の境界に位置決めのための凹凸形状を設けたことを特徴とする請求項１項及び請求項４項記載の携帯端末の保護カバー。
【発明の詳細な説明】
【技術分野】
【０００１】  本発明は、表示及び入力操作のための画面を有する携帯型の携帯端末を覆い、傷や落下等の衝撃からその携帯端末を保護するための保護カバーに関するものである。
【背景技術】
【０００２】  近年、携帯端末を持ち歩くことが一般的となり、その保護カバーも広く使用されている。これらの携帯端末には、いわゆるタッチパネルと称される表示と入力操作のための画面が設けられている。そのため、画面を保護するためには、透明で、かつ保護機能を有し入力操作可能な材料で覆う必要がある。【０００３】  例えばポリエチレンテフタレート樹脂を圧延して平面状にしたシート材料は、厚さ、硬度、静電容量の点から、広く用いられている。【０００４】  また、透明性を維持するために、シート材料の裏面には薄く一様にグリース状のシリコンが塗布され、携帯端末の画面に密着させる使い方が一般的である。この方法によれば、シリコンと画面表面の境界に於ける物理的吸着現象によりカバーが容易に脱落せずに貼られた状態を維持する事が可能となる。【０００５】  特開第２０１４−９３７７０号公報（特許文献１）では、両面部分のみ透明で、他の部分は不透明な一体の保護カバーの提案がなされている。【０００６】  また、特開第２０１４−５６１０２号公報（特許文献２）では、熱収縮性プラスチックフィルムを使用して、携帯端末を胴巻きにして覆い、シリコン等の吸着あるいは粘着材を使用しない保護カバーの提案がなされている。
【先行技術文献】
【特許文献】
【０００７】
【特許文献１】特開第２０１４−９３７７０号公報
【特許文献２】特開第２０１４−５６１０２号公報
【発明の概要】
【発明が解決しようとする課題】
【０００８】  しかしながら特許文献１の提案に於いては、携帯端末の側面まで覆う立体的なカバーの場合、型により成型しなければならず、成型時の熱により材料の平面性が失われて画面部分への密着性が不完全になるばかりか、モアレ等が発生して好ましくない。【０００９】  また、特許文献２の提案に於いては、胴巻きにされた部分しか保護できず、保護カバーとしては、全面を覆うカバーが望まれる。【００１０】  さらに単に画面だけを覆う平面上の保護シートは広く普及しているが、落下等に対しては、全面を覆うカバーが望まれる。【００１１】  〔発明の目的〕
本発明は、このような不具合を排し、画面の表示あるいは入力操作の機能を損なうことなく、また使用者が装着しやすくかつ外れにくく、さらに外観の品位を損なうことのない保護カバーを提供するものである。
【課題を解決するための手段】
【００１２】  本発明は、携帯端末の画面を、圧延されて良好な平面性を有するシートによるカバーとし、かつ、他の部分を、成型された別体のカバーとした。【００１３】  さらに、分割されたカバーは、すべて同じ材質、厚みで透明なものとし、全体が覆われた状態で、ひとつにまとまったカバーに見えるようにした。【００１４】  画面を覆うカバーは、圧延されたシートの外形をくりぬいて平面を維持し、かつ裏面に透明な薄い吸着あるいは粘着剤層を塗布した。【００１５】  画面以外の面は、吸着あるいは粘着材層が付加され保護シートが貼付されているシート材料を熱により立体形状に成型した後、外形をくりぬいて所定の形状となし、携帯端末の曲面形状部分が覆われるようにした。【００１６】  画面以外の面をすべて覆うために、成型されるカバーを分割し、各カバーが密接して正しい位置に装着可能なように、カバー相互の位置決め形状を設けた。
【発明の効果】
【００１７】  本発明によれば、画面を覆う平面形状のカバーは、加熱しないトムソン型による外形せん断加工だけで済むので、圧延された良好な平面性および透明性を損なわないため、吸着性に優れ、浮きによるモアレの発生もない。さらに、画面以外の面に沿うように成型された別体のカバーを設けたため、落下等の衝撃から携帯端末を保護することが可能になる。【００１８】  複数に分割されたカバーは同じ材質、厚みなので、装着した状態では、ひとつのカバーで覆われているような外観をなし携帯端末自身の外観品位を損なわない。【００１９】  さらに、加熱して成型されたカバーも複数に分割したので、複雑な面に対応可能で、かつ位置決め手段とあらかじめ塗布された吸着あるいは粘着材層により、使用者が装着することを容易とする。【００２０】  以上のように、本発明の効果は多岐にわたり有効なものである。
【図面の簡単な説明】
【００２１】
【図１】カバーが装着された状態の外観斜視図である。
【図２】分割されたカバーと携帯端末を分解した斜視図である。
【図３】図２を反対方向からみた斜視図である。
【図４】図１の外観斜視図の画面部分のカバーだけをめくった状態の外観斜視図である。
【発明を実施するための形態】
【００２２】  以下、本発明の実施の形態を、図を基に説明する。
【００２３】  図１はカバー１が装着された状態である。破線で示した携帯端末の画面２ａの面は、カバー前１０で、その対向した背面（図示なし）はカバー後１１で、左側面はカバー左１２で、右側面はカバー右１３で、上面はカバー上１４で、下面はカバー下１５で、それぞれ分割した状態で外側の全面が覆われている。
【００２４】  カバー前１０とカバー後１１は平面形状であるが、カバー左１２、カバー右１３、カバー上１４、カバー下１５は加熱しながら型によって立体的に成型されている。
【００２５】  図２及び図３はカバー１が装着される前の分解した状態である。
カバー前１０には、携帯端末のスピーカー部２ｂに対向したスピーカー部穴１０ｂが、またマイク部２ｃに対向したマイク部切り欠き１０ｃが設けられている。同様に他のカバーに於いても、第一操作部２ｄには第一操作部穴１３ｄ、第二操作部２ｇ（図示なし）には第二操作部穴１２ｇ、カメラ部２ｅにはカメラ部切り欠き１１ｅ、接続端子部２ｆには接続端子穴１５ｆが、それぞれ対向して設けられている。
【００２６】  図３及び図４に示す通り、カバー上１４の両側には位置決め凸部１４ｈがカバー下１５の両端には位置決め凸部下１５ｈが設けられ、それぞれ、位置決め凹部左１２ｈ、位置決め凹部右１３ｈと嵌合して装着の容易性とずれのない正確な位置決めを実現している。
装着順序としては、最初にカバー左１２とカバー右１３を携帯端末に嵌め合わせ、次にカバー上１４とカバー下１５を装着する。
【００２７】  図４はカバー前１０をめくった状態を示すが、側面周囲のカバー左１２、カバー右１３、カバー上１４、カバー下１５が、前述のように正しく位置決めされ装着されているので、カバー１０は周囲を案内位置決めされており、装着は容易である。
【００２８】  以上の例は、カバー１の分割方法のひとつの例である。
このように同一の材質のカバーを分割することによって、携帯と手で保持しての使用の二つの状態においての使いやすさが向上し、外観品位も保たれる。
【産業上の利用可能性】
【００２９】  本発明は、携帯端末を保護し使いやすさを向上させるので、ひろく産業上の利便向上につながり、単に携帯端末に留まらず、広く応用可能なものである。
【符号の説明】
【００３０】１  カバー
１０  カバー前      １０ｂ  スピーカー部穴      １０ｃ  マイク部切り欠き
１１  カバー後      １１ｅ  カメラ部切り欠き
１２  カバー左      １２ｇ  第二操作部穴        １２ｈ  位置決め凹部左
１３  カバー右      １３ｄ  第一操作部穴        １３ｈ  位置決め凹部右
１４  カバー上      １４ｈ  位置決め凸部上
１５  カバー下      １５ｆ  接続端子部穴        １５ｈ  位置決め凸部下
２  携帯端末
２ａ  画面              ２ｂ  スピーカー部            ２ｃ  マイク部
２ｄ  第一操作部        ２ｅ  カメラ部                ２ｆ  接続端子部
２ｇ  第二操作部
【図１】
2016123066.tif 000003
【図２】
2016123066.tif 000004
【図３】
2016123066.tif 000005
【図４】
2016123066.tif 000006